(57)【要約】      （修正有）【課題】股部分にシートパッドを備えるサイクリングウェアと、その作製方法を提供する。【解決手段】股部分にシートパッド２を備えるサイクリングウェア１であって、構造的縫い目に沿ってつなげられた複数の生地パネルを備え、シートパッドは前記シートパッドの後側部分とウェアを接続するように配置された生地パネルにより装着され、前記パネルはウェアの下部背側構造的縫い目に沿ってウェアに固定されるサイクリングウェアである。【選択図】図１
2015004156.tif 000002
【特許請求の範囲】
【請求項１】
股部分にシートパッド（２）を備えるサイクリングウェア（１）であって、前記サイクリングウェアは構造的縫い目線に沿ってつなげられている複数の生地パネルを備え、前記シートパッドはカバー（３）と１つまたは複数のパッド（４）とを備え、
前記サイクリングウェア（１）は、前記シートパッド（２）の後側部分（６）を前記サイクリングウェア（１）に装着するために配置された後側接続パネル（７）を備え、
前記後側接続パネル（７）は、前記サイクリングウェア（１）の２つの前記生地パネル（１２、１３）と前記後側接続パネル（７）とを接続する前記構造的縫い目線（８、９）の少なくとも２つに沿って前記サイクリングウェアに固定されることを特徴とする、サイクリングウェア。
【請求項２】
前記２つの縫い目線（８、９）が、前記サイクリングウェアの下部背側領域に配置されている、請求項１に記載のサイクリングウェア。
【請求項３】
前記２つの縫い目線が、前記サイクリングウェアの中央股ライン（１０）に対し、対称的に配置され、傾斜している、請求項２に記載のサイクリングウェア。
【請求項４】
前記後側接続パネル（７）の端（１１）が、前記後側接続パネルの前記端が縫い目線を覆うように、前記構造的縫い目線（８、９）の上に折り畳まれている、請求項１から３のいずれか一項に記載のサイクリングウェア。
【請求項５】
前記後側接続パネル（７）が実質的に三角形である、請求項１から４のいずれか一項に記載のサイクリングウェア。
【請求項６】
前記後側接続パネル（７）が単層生地片で作製されており、前記シートパッドの前記カバー（３）が好ましくは２つの生地層に挟まれた発泡膨張材料を含む複数の層で作製されている、請求項１から５のいずれか一項に記載のサイクリングウェア。
【請求項７】
股部分にシートパッド（２）を備えるサイクリングウェア（１）を作製する方法であって、前記サイクリングウェアは構造的縫い目線に沿ってつなげられた複数の生地パネルで作製され、
カバー（３）と、１つまたは複数のパッド（４）と、前記シートパッドの後側部分（６）に取り付けられた後側接続パネル（７）とを備えるシートパッドを準備することと、
前記サイクリングウェア（１）の２つの生地パネルと前記後側接続パネル（７）とを接続する少なくとも２つの前記構造的縫い目線（８、９）を作製する間に前記シートパッドの前記後側接続パネル（７）を前記サイクリングウェア（１）に取り付けることと、を含む、方法。
【発明の詳細な説明】
【技術分野】
【０００１】
本発明は、シートパッドを股部分に含むサイクリング用スポーツウェアの分野に関する。より具体的には、本発明は、シートパッドとウェアの間の接合部に関する。
【背景技術】
【０００２】
シートパッドを含むサイクリングウェア（ｃｙｃｌｉｎｇ  ｓｕｉｔ）は当分野では周知である。
【０００３】
既知の構造によるウェアは、適切な縫い目により互いに接続された複数の生地部分で構成される。サイクリングウェアの前記生地部分は、パネルとも称される。そのような構造のサイクリング用衣服が特許文献１に公開されている。
【０００４】
シートパッドは、ふつうはカバーとも称される柔らかい生地片と、パディングとを備える。パディングは通常は前記カバーに固定されているか、あまり一般的ではないがサイクリングウェアに固定された、２つ以上の成形パッドの形態をとる。
【０００５】
カバーは通常は複数の層、たとえば２つの生地層の間に挟まれた柔らかい発泡材料（ｅｘｐａｎｄｅｄ  ｍａｔｅｒｉａｌ）を含む。
【０００６】
既知技術によると、シートパッドは、カバーの端、または少なくともその一部をサイクリングウェアに縫い付けるかまたは別の方法（たとえば糊付け、溶接）によりウェアに固定されている。
【０００７】
ウェアの股部分と、シートパッドとウェアの間の縫い目は、サイクリング用衣服、特に高性能デザインのものでは特に非常に重要であることに注意されたい。特に、ウェアの股部分は、ペダルを漕ぐと関連の機械的ストレスが加わり、なかでもシートパッドとウェアの接続部はウェアのなかで最もストレスを受ける点である。
【０００８】
これまで、当分野では性能と快適性を高めるためにシートパッドの固定に様々な改良が提案されている。たとえば、特許文献２は、シートパッドの裏地が、裏地の端に沿って選択された点でサイクリング用短ズボンに装着されていることを開示している。特許文献３は、シートパッドを前側装着領域と後側装着領域に沿って装着し、緩い中央部分を残すことを開示している。
【０００９】
しかし、上記の努力にもかかわらず、引き続き改良が必要とされている。
【先行技術文献】
【特許文献】
【００１０】
【特許文献１】欧州特許出願公開第１８３４５３２号明細書
【特許文献２】欧州特許出願公開第１４３０７９７号明細書
【特許文献３】欧州特許出願公開第２４９４８７８号明細書
【発明の概要】
【発明が解決しようとする課題】
【００１１】
上述の構造、すなわち周囲の縫い目により互いに接続された複数の生地部分で作製されたサイクリングウェアにおいて、ウェアに固定するための特定の後側パネルを有するシートパッドを提供することが提案される。前記後側パネルの一部がシートパッドに固定され、前記後側パネルの別の部分がウェアに固定されている。さらに、本発明は、ウェアの既存の構造的縫い目を、前記後側パネルの固定のために使用する。さらに具体的には、シートパッドの後側部分は、前述のパネルにより、ウェアの２つの下部背側の縫い目に固定され得る。
【課題を解決するための手段】
【００１２】
本発明の目的は、股部分のシートパッドと、構造的縫い目線に沿ってつなげられた複数の生地パネルとを備えるサイクリングウェアを用いて果たされ、シートパッドはカバーと１つまたは複数の（１つ以上の）パッドとを備え、
ウェアは、前記シートパッドの後側部分をウェアに装着するために設けられた後側接続パネルを備え、
前記後側接続パネルは、前記構造的縫い目線のうち少なくとも２つに沿ってウェアに固定され、サイクリングウェアの前記生地パネルの２つとシートパッドの前記後側パネルを接続する。
【００１３】
本明細書および添付の特許請求の範囲において、縫い目線または縫い目という用語は、たとえば縫い付け、糊付け、溶接を含む、生地パネルを接合する任意適切な手法を指すのに使用される。好ましくは、縫い目は縫い付けにより作製される。サイクリングウェアという用語は、少なくともボディスーツ、ズボンなどの股部分を有するズボン部分を含む様々な物品を指すのに使用される。
【００１４】
ウェアの前記２つのパネルとシートパッドの後側パネルを接続している前記２つの構造的縫い目線は、好ましくはサイクリングウェアの下部背側領域に配置される。好ましい実施形態では、それらはサイクリングウェアの中央股ラインに対し対称的に傾斜している。
【００１５】
好ましい実施形態では、前記後側パネルの端が縫い目の上に折り畳まれ、縫い目がパネルの端で覆われるようになっている。この特徴は、以下に説明するようないくつかの追加の利点を提供する。
【００１６】
前記後側パネルは、好ましくは生地パネルである。前記後側パネルは好ましくは単層の生地片であり、シートパッドのカバーは上述したように通常は複数の層、たとえば２つの生地層に挟まれた発泡膨張材料（ｆｏａｍ  ｅｘｐａｎｄｅｄ  ｍａｔｅｒｉａｌ）を含む３層で作製されている。
【００１７】
好ましくは、前記後側パネルは実質的に三角形であり、底辺がシートパッドに面し、頂点がウェアの背側に向けられている。
【００１８】
本発明のおかげで、シートパッドの後側部分がサイクリングウェアの構造的縫い目、たとえば下部背側縫い目に直接組み込まれるといえよう。
【００１９】
本発明の第１の利点は、股部分と、シートパッドとウェアの境界面における機械的ストレスのより良好な分布である。実際、この新規の接続パネルは、従来技術の解決策、たとえば３層カバーがウェアに直接縫い付けられている解決策と比べてより均等にストレスを分布させる。
【００２０】
別の利点は、後側接続パネルは、多汗かつ通気性の悪い領域であるウェアの中間から後部の股部分において、汗に対するさらなる防御を提供することである。従来技術のウェアにおいては、ウェアの生地は直接汗の攻撃に曝されるが、本発明によると後側接続パネルは汗吸収のさらなる手段を提供し、ウェアのパネルが汗に直接当たらないようにする。
【００２１】
別の利点は、製造工程において縫い目の数を軽減できることである。ほとんどの場合、サイクリングウェアの製造者は、外部業者からウェアに挿入する準備のできたシートパッドを受領することに注意されたい。従来の技法によると、サイクリングウェアの製造者は、ウェアのパネルを接続するのに別の縫製を行ってからシートパッドを装着しなければならない。これに対し、本発明は、シートパッドが追加の後側パネルとともに供給され、２つの下部背側縫い目の作製中にウェアに装着することを可能にする。したがって、製造者の作業は軽減される。
【００２２】
縫い目の上に折り畳まれた後側パネルを含む好ましい実施形態は、いくつかの追加の利点を有する。まず、ユーザーの皮膚は、特に皮膚が非常に敏感な股部分の不快の原因であり得る縫い目との直接的な接触と摩擦を避けられる。第２に、縫い目は激しい使用中に汗の攻撃からいっそう良好に保護される。
【００２３】
本発明のさらに別の利点は、第２の皮膚としてのウェアの理想的なふるまいのための良好な密着性と良好なアプローチである。
【００２４】
本発明の一態様は、添付の特許請求の範囲によると、サイクリングウェアを作製する方法でもある。
【００２５】
本発明の特徴と利点は以下の詳しい説明により明らかになるが、以下の詳しい説明は限定ではなく例示を目的とする。
【図面の簡単な説明】
【００２６】
【図１】本発明の一実施形態による股部分にシートパッドを備えるサイクリングウェアの図である。
【図２】図１のサイクリングウェアのシートパッドの上面図である。
【図３】シートパッドとサイクリングウェアの接続の詳細である。
【図４】シートパッドとサイクリングウェアの接合部の好ましい実施形態の図である。
【発明を実施するための形態】
【００２７】
サイクリングウェア１は、股部分にシートパッド２を含む。サイクリングウェア１は、ライクラ（登録商標）などの適切な弾性生地で作製され、本発明の様々な実施形態および使用意図、たとえば夏用、冬用、男性用、女性用などにより、ボディスーツ、ズボン、その他の様々な形を有してもよい。
【００２８】
サイクリングウェア１は、好ましくは弾性の織布または編地で作製され、適切な周囲の縫い目または同等物に沿って接合された複数の生地パネルを備える。
【００２９】
シートパッド２は、カバー３を形成する柔らかい生地片と、たとえば２つのパッド４を含む適切なパディングを備える。図２は、前側部分５と後側部分６を有するシートパッド２の構造的形状を例示する一例である。
【００３０】
本発明の一実施形態によるサイクリングウェアへの接続部の詳細が図３に示されている。
【００３１】
シートパッド２は、この例ではたとえば部分的にライクラ（登録商標）で作製された生地パネルとして具現化されている後側接続パネル７を介してウェア１に接続される。前記パネルは、２つの縫い目８と９に沿ってウェア１に固定される。前記縫い目８と９は、ウェア１の下部背側縫い目でもあり、つまり、縫い目８または９はそれぞれサイクリングウェア１を形成する２つの生地部分を接合することを意味する。
【００３２】
前記縫い目８と９は、サイクリングウェア１の中央股ライン１０に対し対称的に傾斜しており、このことは図１と図３に示されている。
【００３３】
図４は、パネル６の端部１１が、ウェア１の２つのパネル１２、１３を接続して全体的接合線１４を形成している縫い目８または９それぞれの上に折り畳まれている好ましい実施形態を示している。縫い目８または９が端１１で覆われているのがわかる。したがって、ユーザーは、不快の原因であり得る縫い目との直接的接触を免れ、パネル１２、１３はウェアのこの領域で特に激しい汗の攻撃に直接曝されることがない。
【００３４】
本発明は、シートパッドとウェアの完璧な一体化、より良好な快適性と性能を提供し、上記範囲を満たしている。
【図１】
2015004156.tif 000003
【図２】
2015004156.tif 000004
【図３】
2015004156.tif 000005
【図４】
2015004156.tif 000006